(57)【要約】【目的】ディジタル・コンテンツに電子透かしを埋め込んだ場合に劣化するのを抑える。【構成】ディジタル・コンテンツから，ディジタル・コンテンツを構成する動画，静止画，音声,テキストなどのディジタル・オブジェクトが抽出される。動画については，動画を構成する多数駒の被写体像31〜3nが抽出される。ディジタル・オブジェクトとして抽出された音声データ22, 静止画データ23および24，テキスト・データ25，被写体像31〜3nの冗長度が算出される。算出された冗長度が高いディジタル・オブジェクトに電子透かしが埋め込まれる。電子透かしが埋め込まれたディジタル・オブジェクト23と電子透かしが埋め込まれないディジタル・オブジェクト22, 24, 25, 31〜3nとからディジタル・コンテンツが再構築される。【選択図】図５
2008219442.tif 000002
【特許請求の範囲】
【請求項１】
複数のディジタル・オブジェクトが組み合わさって生成される一つのディジタル・コンテンツから上記複数のディジタル・オブジェクトを抽出するディジタル・オブジェクト抽出手段，
上記ディジタル・オブジェクト抽出手段によって抽出された上記複数のディジタル・オブジェクトのそれぞれのディジタル・オブジェクトの冗長度を算出する冗長度算出手段，
上記冗長度算出手段によって算出された冗長度のうち，冗長度の高いディジタル・オブジェクトに電子透かしを埋め込む電子透かし埋め込み手段，および
上記ディジタル・オブジェクト抽出手段によって抽出されたディジタル・オブジェクトのうち，上記電子透かし埋め込み手段によって電子透かしが埋め込まれたディジタル・オブジェクトと電子透かしが埋め込まれていないディジタル・オブジェクトとから上記ディジタル・コンテンツを再構築するディジタル・コンテンツ再構築手段，
を備えたディジタル・コンテンツへの電子透かし埋め込み装置。
【請求項２】
上記電子透かし埋め込み手段は，上記ディジタル・コンテンツにおける空間的距離が所定距離以上離れている，あるいは上記ディジタル・コンテンツにおける時間的位置が所定時間以上離れている少なくとも２つの冗長度が高いディジタル・オブジェクトに電子透かしを埋め込むものである，
請求項１に記載のディジタル・コンテンツへの電子透かし埋め込み装置。
【請求項３】
ディジタル・オブジェクト抽出手段が，複数のディジタル・オブジェクトが組み合わさって生成される一つのディジタル・コンテンツから上記複数のディジタル・オブジェクトを抽出し，
冗長度算出手段が，上記ディジタル・オブジェクト抽出手段によって抽出された上記複数のディジタル・オブジェクトのそれぞれのディジタル・オブジェクトの冗長度を算出し，
電子透かし埋め込み手段が，上記冗長度算出手段によって算出された冗長度のうち，冗長度の高いディジタル・オブジェクトに電子透かしを埋め込み，
ディジタル・コンテンツ再構築手段が，上記ディジタル・オブジェクト抽出手段によって抽出されたディジタル・オブジェクトのうち，上記電子透かし埋め込み手段によって電子透かしが埋め込まれたディジタル・オブジェクトと電子透かしが埋め込まれていないディジタル・オブジェクトとから上記ディジタル・コンテンツを再構築する，
ディジタル・コンテンツへの電子透かし埋め込み装置の動作制御方法。
【請求項４】
複数のディジタル・オブジェクトが組み合わさって生成される一つのディジタル・コンテンツから上記複数のディジタル・オブジェクトを抽出させる手順，
抽出された上記複数のディジタル・オブジェクトのそれぞれのディジタル・オブジェクトの冗長度を算出させる手順，
算出された冗長度のうち，冗長度の高いディジタル・オブジェクトに電子透かしを埋め込む手順，
抽出されたディジタル・オブジェクトのうち，電子透かしが埋め込まれたディジタル・オブジェクトと電子透かしが埋め込まれていないディジタル・オブジェクトとから上記ディジタル・コンテンツを再構築させる手順からなるディジタル・コンテンツへの電子透かし埋め込み制御プログラム。
【発明の詳細な説明】
【技術分野】
【０００１】
この発明は，ディジタル・コンテンツへの電子透かし埋め込み装置，その動作制御方法およびその制御プログラムに関する。
【背景技術】
【０００２】
著作権を保護するために，静止画データ，動画データ，音声データなどに著作権者を電子透かしにより埋め込むことがある。たとえば，一駒の静止画の中に電子透かしを埋め込むのに最適な位置を求め，その位置に電子透かしを埋め込むものがある（特許文献１）。
【特許文献１】特開２０００−２９５４５４号公報
【０００３】
また，コンテンツの部分データに電子透かしを埋め込む際に，各部分データの人間の知覚にもとづく複雑度を算出し，算出された複雑度に応じて電子透かしの強度を変化させるもの（特許文献２），ディジタル・コンテンツに含まれる複雑度，スペクトル情報などのフレーム特徴量を算出し，算出した特徴量をもとに電子透かしのパラメータを調整するものもある（特許文献３）。
【特許文献２】特開２００１−１６４３８号公報
【特許文献３】特開２００５−７３０９９号公報
【０００４】
さらに，ディジタル・コンテンツにコンテンツの再生位置をチェックする再生制御プログラムを付加し，ディジタル・コンテンツが不正な位置にあるとコンテンツにマスクをかけるものもある（特許文献４）。
【特許文献４】特開２００５−２２７３８０号公報
【０００５】
しかしながら，複数のディジタル・オブジェクトから構成されるディジタル・コンテンツに電子透かしを埋め込む場合に，そのディジタル・コンテンツの劣化を防止することはいずれも考えられていない。
【発明の開示】
【０００６】
この発明は，複数のディジタル・オブジェクトから構成されるディジタル・コンテンツに電子透かしを埋め込む場合に，そのディジタル・コンテンツの劣化を未然に防止することを目的とする。
【０００７】
この発明によるディジタル・コンテンツへの電子透かし埋め込み装置は，複数のディジタル・オブジェクトが組み合わさって生成される一つのディジタル・コンテンツから上記複数のディジタル・オブジェクトを抽出するディジタル・オブジェクト抽出手段，上記ディジタル・オブジェクト抽出手段によって抽出された上記複数のディジタル・オブジェクトのそれぞれのディジタル・オブジェクトの冗長度を算出する冗長度算出手段，上記冗長度算出手段によって算出された冗長度のうち，冗長度の高いディジタル・オブジェクトに電子透かしを埋め込む電子透かし埋め込み手段，および上記ディジタル・オブジェクト抽出手段によって抽出されたディジタル・オブジェクトのうち，上記電子透かし埋め込み手段によって電子透かしが埋め込まれたディジタル・オブジェクトと電子透かしが埋め込まれていないディジタル・オブジェクトとから上記ディジタル・コンテンツを再構築するディジタル・コンテンツ再構築手段を備えていることを特徴とする。
【０００８】
この発明は，上記ディジタル・コンテンツへの電子透かし埋め込み装置に適した動作制御方法も提供している。すなわち，この方法は，ディジタル・オブジェクト抽出手段が，複数のディジタル・オブジェクトが組み合わさって生成される一つのディジタル・コンテンツから上記複数のディジタル・オブジェクトを抽出し，冗長度算出手段が，上記ディジタル・オブジェクト抽出手段によって抽出された上記複数のディジタル・オブジェクトのそれぞれのディジタル・オブジェクトの冗長度を算出し，電子透かし埋め込み手段が，上記冗長度算出手段によって算出された冗長度のうち，冗長度の高いディジタル・オブジェクトに電子透かしを埋め込み，ディジタル・コンテンツ再構築手段が，上記ディジタル・オブジェクト抽出手段によって抽出されたディジタル・オブジェクトのうち，上記電子透かし埋め込み手段によって電子透かしが埋め込まれたディジタル・オブジェクトと電子透かしが埋め込まれていないディジタル・オブジェクトとから上記ディジタル・コンテンツを再構築するものである。
【０００９】
この発明は，上記動作制御方法を実現するためのプログラムも提供している。
【００１０】
この発明によると，複数のディジタル・オブジェクト（ディジタルの静止画，ディジタルの動画，ディジタル音声など）が組み合わさって生成される一つのディジタル・コンテンツから複数のディジタル・オブジェクトが抽出される。抽出された複数のディジタル・オブジェクトのそれぞれのディジタル・オブジェクトの冗長度（ディジタル・オブジェクトのデータの複雑さ）が算出される。算出された冗長度のうち，冗長度の高いディジタル・オブジェクトに電子透かしが埋め込まれる。電子透かしが埋め込まれたディジタル・オブジェクトと電子透かしが埋め込まれていないディジタル・オブジェクトとからディジタル・コンテンツが再構築される。冗長度の高いディジタル・オブジェクトに電子透かしが埋め込まれた場合には冗長度の低いディジタル・オブジェクトに電子透かしが埋め込まれた場合に比べてディジタル・オブジェクトの劣化が低い。このため電子すかしが埋め込まれても劣化の低いディジタル・コンテンツが得られるようになる。
【００１１】
上記電子透かし埋め込み手段は，たとえば，上記ディジタル・コンテンツにおける空間的距離が所定距離以上離れている，あるいは上記ディジタル・コンテンツにおける時間的位置が所定時間以上離れている少なくとも２つの冗長度が高いディジタル・オブジェクトに電子透かしを埋め込む。電子透かしが埋め込まれたディジタル・オブジェクトが集中しないので，所定の部分のディジタル・オブジェクトが削除されても電子透かしが埋め込まれたディジタル・オブジェクトはディジタル・コンテンツに残る。ディジタル・コンテンツから電子透かしが除去されてしまうことを未然に防止できる。
【実施例】
【００１２】
図１は，この発明の実施例を示すもので，電子透かし埋め込み装置の電気的構成を示すブロック図である。
【００１３】
電子透かし埋め込み装置の全体の動作は，ＣＰＵ７によって統括される。
【００１４】
電子透かし埋め込み装置には，ＣＤ−ＲＯＭ（コンパクト・ディスク−リード・オンリ・メモリ）ドライブ２が設けられている。このＣＤ−ＲＯＭドライブ２に後述する動作を行う動作プログラムが格納されているＣＤ−ＲＯＭ１が装填されることにより，その動作プログラムが電子透かし埋め込み装置にインストールされる。また，データ等を一時的に記憶するメモリ８が電子透かし埋め込み装置に含まれている。
【００１５】
まず，コンテンツ取得回路３によって複数のディジタル・オブジェクトから構成されるディジタル・コンテンツが取得される。ディジタル・コンテンツが，ＣＤ−ＲＯＭ等に格納されていればＣＤ−ＲＯＭドライブ２によって取得できるのはいうまでもない。また，ディジタル・コンテンツが送信されてくる場合にはデータ送受信回路11によって受信するようにしてもよい。
【００１６】
図２は，ディジタル・コンテンツを示している。
【００１７】
ディジタル・コンテンツ20には，ディジタル動画データ21，ディジタル音声データ22，ディジタル静止画データ23および24ならびにディジタル・テキスト・データ25が格納されている。このように，この実施例におけるディジタル・コンテンツ20は，複数のディジタル・オブジェクトから構成されている。動画は複数の静止画の集まりと考えられるから，ディジタル動画データは複数のディジタル・コンテンツを構成するものと考えられる。したがって，ディジタル動画データ単独でもディジタル・コンテンツとして扱われる。電子透かしを埋め込むことができる画像データ，音声データを含むものであれば，ＨＴＭＬ（HyperText Markup Language）コンテンツなどのウェブ・コンテンツでよい。このようなディジタル・コンテンツがコンテンツ取得回路３によって取得される。
【００１８】
図３は，ディジタル・コンテンツ20によって表されるディジタル・コンテンツ画像の一例である。
【００１９】
上述したディジタル・コンテンツ20によってディジタル・コンテンツ画像40が表示される。ディジタル・コンテンツ画像40には静止画データ21によって表される静止画41，静止画データ22によって表される静止画42，動画データによって表される動画43（動画の音声は音声データ24によって表される），テキスト・データ25によって表されるテキストが含まれている。これらの静止画41等の表示位置は，例えば，ディジタル・コンテンツ20に含まれるマークアップ言語ファイルによって規定されよう。
【００２０】
図１に戻って，ディジタル・コンテンツ取得回路３によって取得されたディジタル・コンテンツは，オブジェクト抽出回路４によってディジタル・オブジェクトが抽出される。ディジタル・オブジェクトが抽出される際には，後述するようにディジタル・コンテンツを再構築するためにディジタル・コンテンツにおけるディジタル・オブジェクトの配置場所を記憶しておいてもよい。たとえば，ディジタル・コンテンツがＨＴＭＬコンテンツであった場合には，＜ｉｍｇ＞タグが指す画像などが抽出される。ディジタル・コンテンツが動画であった場合には，動画のフォーマットに応じたデコードが行われて動画を構成する被写体像データおよび音声データがディジタル・オブジェクトとして得られる。
【００２１】
図４（Ａ）〜（Ｅ）は，ディジタル・コンテンツ20から抽出されたディジタル・オブジェクトの一例である。
【００２２】
上述したように，ディジタル・コンテンツ20には，動画データ21，音声データ22，静止画データ23および24ならびにテキスト・データ25が含まれている。ディジタル・コンテンツ20からディジタル・オブジェクトの抽出処理が行われることにより，動画データ21，音声データ22，静止画データ23および24ならびにテキスト・データ25が抽出される。
【００２３】
動画は，多数の静止画の集まりであるから，動画データ21からは，動画を構成する被写体像（静止画像）を表すデータ31〜3nが抽出される。
【００２４】
再び図１に戻って，ディジタル・コンテンツからディジタル・オブジェクトが抽出されると，抽出されたすべての冗長度が冗長度算出回路５において算出される。冗長度ρ（Ｓ）は，式１から式３にもとづいて算出される。但し，Ｓは抽出されたディジタル・コンテンツ，Ｈ（Ｓ）はエントロピー，ｐｉは抽出したディジタル・オブジェクトにおけるあるレベルｉの出現確率，Ｍはディジタル・オブジェクトのデータ量である。ディジタル・オブジェクトが静止画または動画を構成する被写体像であれば，ｉはあるレベル以上の濃度，Ｍは静止画または被写体像の画素数である。
【００２５】
【数１】
2008219442.tif 000003
【００２６】
図５（Ａ）〜（Ｃ）は，抽出されたディジタル・オブジェクトと算出された冗長度との関係を示している。
【００２７】
図５（Ａ）は，抽出されたディジタル・オブジェクト31〜3n，22〜25を単に並べたものであり，それぞれのディジタル・オブジェクトに対応する冗長度ρ(S1）〜ρ（Sn），ρ（S+n+1）〜ρ（S+n+4）も示されている。
【００２８】
図５（Ｂ）は，冗長度の高い順にディジタル・オブジェクト31〜3n，22〜25が並び替えられたものである。最も冗長度の高いディジタル・オブジェクトは，静止画データ23であり，次に冗長度の高いディジタル・オブジェクトは，静止画データ24である。
【００２９】
この実施例においては，ディジタル・コンテンツから抽出されたディジタル・オブジェクトの中から冗長度の高いディジタル・オブジェクトに電子透かし（たとえば，著作権情報）が埋め込まれるものである。
【００３０】
図５（Ｃ）は，冗長度の最も高い静止画データ23に電子透かしが埋め込まれた様子がハッチングによって示されている。冗長度の高いディジタル・オブジェクトは，電子透かしが埋め込まれても劣化が少ない（人間の目または耳に知覚されにくい）。したがって，電子透かしが埋め込まれた静止画データ23によって表される静止画の劣化を抑えることができ，後述するように，抽出されたディジタル・オブジェクトからディジタル・コンテンツを再構築しても劣化の少ないディジタル・コンテンツを得ることができる。冗長度の最も高い静止画データ23に電子透かしが埋め込まれているが，冗長度の高い２つ以上のディジタル・オブジェクトに電子透かしが埋め込まれてもよい。
【００３１】
再び図１に戻って，冗長度算出回路５においてディジタル・オブジェクトの冗長度が算出されると，電子透かし埋め込みオブジェクト決定回路９において上述のように，電子透かしが埋め込まれるディジタル・オブジェクトが決定される。電子透かし埋め込み回路６において，決定されたディジタル・オブジェクトに電子透かしが埋め込まれる。電子透かしの埋め込みは，ディジタル・オブジェクトが圧縮されても電子透かしが読み取り可能なものが利用されるのはいうまでもない。また，電子透かしの埋め込み位置を記憶するようにしてもよい。ディジタル・コンテンツから抽出可能なディジタル・オブジェクトが１つだけの場合には，電子透かしの埋め込みを中止してもよいし，抽出された１つのディジタル・オブジェクトに電子透かしを埋め込むようにしてもよい。
【００３２】
所定のディジタル・コンテンツに電子透かしが埋め込まれると，電子透かしが埋め込まれたディジタル・オブジェクトと電子透かしが埋め込まれていないディジタル・オブジェクトとから元のディジタル・コンテンツ20（図２参照）が再構築される。再構築されたディジタル・コンテンツ20がデータ送受信回路11から外部装置に送信される。
【００３３】
上述した実施例においては，静止画データに電子透かしが埋め込まれているが，冗長度が高ければ静止画データに限らず，音声データ，テキスト・データなどに電子透かしが埋め込まれてもよい。
【００３４】
図６は，電子透かし埋め込み装置の処理手順を示すフローチャートである。
【００３５】
上述のように，電子透かしを埋め込むべきディジタル・コンテンツが取得される（ステップ51）。取得したディジタル・コンテンツからディジタル・コンテンツを構成するすべてのディジタル・オブジェクトが取り出される（ステップ52）。取り出されたすべてのディジタル・オブジェクトの冗長度が算出される（ステップ53）。算出された冗長度の高いディジタル・オブジェクトに電子透かしが埋め込まれるように，電子透かしを埋め込むべきディジタル・オブジェクトが決定される（ステップ54）。決定されたディジタル・オブジェクトに電子透かしが埋め込まれる（ステップ55）。電子透かしが埋め込まれたディジタル・オブジェクトと電子透かしが埋め込まれなかったディジタル・オブジェクトとから元のディジタル・コンテンツが再構築される（ステップ56）。
【００３６】
図７から図12は，他の実施例を示すものである。上述した実施例においては，ディジタル・コンテンツを構成するディジタル・オブジェクトのうち冗長度の高いディジタル・オブジェクトに電子透かしが埋め込まれているが，次に示す実施例では電子透かしが埋め込まれたディジタル・オブジェクトからの時間的，空間的距離を考慮して他のディジタル・オブジェクトに電子透かしが埋め込まれるものである。
【００３７】
図７は，電子透かし埋め込み装置の処理手順を示すフローチャートである。この図において，図６に示す処理と同一の処理については同一符号を付して説明を省略する。
【００３８】
上述のようにディジタル・コンテンツから，ディジタル・コンテンツを構成するディジタル・オブジェクトが取り出されて冗長度が算出される（ステップ53）。この実施例においては，次に述べるように，算出された冗長度だけでなく，ディジタル・コンテンツによって表されディジタル・コンテンツ画像上におけるディジタル・オブジェクトの時間的，空間的位置が考慮されて電子透かしが埋め込まれるディジタル・オブジェクトが決定される（ステップ54Ａ）。電子透かしが埋め込まれると，ディジタル・コンテンツが再構築されるのは上述したのと同様である（ステップ56）。
【００３９】
図８（Ａ）〜（Ｃ）は，動画を構成する被写体像とそれらの被写体像の冗長度を示している。
【００４０】
図８（Ａ）は，上述した図５（Ａ）と同様に動画を構成する被写体像61〜65が単に並べられたものであり，対応する冗長度ρ（S1）〜ρ（S5）も表示されている。被写体像64，65，62，61，63の順に冗長度が高いものとする。
【００４１】
図８（Ｂ）は，上述の実施例により冗長度の高い２つの被写体像に電子透かしが埋め込まれる様子を示している。
【００４２】
上述の実施例においては，冗長度の高い被写体像に電子透かしが埋め込まれるから，２つ以上の被写体像に電子透かしが埋め込まれる場合には冗長度の高い順に順番に被写体像に電子透かしが埋め込まれる。２つの被写体像に電子透かしが埋め込まれるとすると，ハッチングで示すように被写体像64と65とに電子透かしが埋め込まれる。電子透かしは，連続した被写体像64および65に埋め込まれるから，動画全体から被写体像61〜63までの部分を切り取り，配布した場合にはその配布された動画部分には電子透かしが含まれてなくなってしまう。
【００４３】
このために，この実施例においては，２つ以上の被写体像に電子透かしが埋め込まれる場合には，それらの２つ以上の被写体像の空間的距離（撮影時刻の差）が一定以上あるような被写体像に電子透かしが埋め込まれる。
【００４４】
図８（Ｃ）は，電子透かしが埋め込まれた被写体像を示している。冗長度が高い２つの被写体像である被写体像64および65のうち，冗長度がもっとも高い被写体像64には電子透かしが埋め込まれる。冗長度がもっとも高い被写体像64と，冗長度が次に高い被写体像65は，連続して撮影されることにより得られたものであり，被写体像間の空間的距離が一定以上無いものとする。このために，冗長度が２番目に高い被写体像65には電子透かしが埋め込まれずに，冗長度がもっとも高い被写体像64と空間的距離が一定以上あるような次に冗長度が高い被写体像62に電子透かしが埋め込まれる。
【００４５】
この実施例においては，電子透かしは，動画の一部分に集中しないように埋め込まれるから動画の一部を切り取って配布したとしてもその切り取られた動画部分に電子透かしが含まれている可能性が高くなる。
【００４６】
上述した実施例は動画を構成する複数駒の被写体像のいずれかに電子透かしを埋め込むものであったが，次の実施例は，一駒のディジタル・コンテンツ画像を構成する静止画が複数存在する場合に，空間的距離が離れた複数の静止画に電子透かしを埋め込むものである。
【００４７】
図９は，ディジタル・コンテンツ画像の一例である。
【００４８】
ディジタル・コンテンツ画像70には，複数の静止画ファイルによって表わされる静止画71〜74とテキスト・ファイルによって表わされるテキスト75が含まれている。静止画71〜74およびテキスト75の位置関係は，上述したように，ディジタル・コンテンツに含まれるマークアップ言語ファイルによって規定されるのはいうまでもない。
【００４９】
図10は，静止画71〜74の冗長度とテキスト75の冗長度を示している。
【００５０】
冗長度は，静止画73，74，71，72，テキスト75の順に高いものとする。
【００５１】
冗長度のみによって電子透かしを埋め込むべき２つのディジタル・オブジェクトが決定される場合には，冗長度の高い２つのディジタル・オブジェクトである静止画73および74に電子透かしが埋め込まれる。
【００５２】
ところが，この実施例においては，冗長度のもっとも高いディジタル・オブジェクトには電子透かしが埋め込まれるが，電子透かしが埋め込まれる他のディジタル・オブジェクトは，冗長度のもっとも高いディジタル・オブジェクトとの空間的距離が一定以上あるものに決定される。
【００５３】
図11は，電子透かしが埋め込まれたディジタル・コンテンツ画像の一例である。図12は，電子透かしが埋め込まれたディジタル・オブジェクトを冗長度の高い順に並べて示している。
【００５４】
図11および図12を参照して，冗長度がもっとも高く電子透かしが埋め込まれる静止画73と次に冗長度が高い静止画74との距離は，他の静止画71または72よりも近い。このために，静止画73からの距離が所定距離以上遠く，冗長度が次に高い静止画71に電子透かしが埋め込まれる。
【００５５】
電子透かしは，ディジタル・コンテンツ画像の一部分のみに集中して埋め込まれずに所定距離ずつ離れたディジタル・オブジェクトに埋め込まれるので，ディジタル・コンテンツ画像の一部が切り取られても，その切り取られたディジタル・コンテンツ画像に電子透かしが埋め込まれたディジタル・オブジェクトが残っている可能性が高い。
【００５６】
電子透かしを埋め込むべきディジタル・コンテンツが動画などのように時間に依存するものであれば，時間的距離が考慮されるし，静止画などのように時間に依存しないものであれば，空間的距離が考慮されよう。
【図面の簡単な説明】
【００５７】
【図１】電子透かし埋め込み装置の電気的構成を示すブロック図である。
【図２】ディジタル・コンテンツの一例である。
【図３】ディジタル・コンテンツ画像の一例である。
【図４】（Ａ）〜（Ｅ）は，ディジタル・オブジェクトの一例である。
【図５】（Ａ）〜（Ｃ）は，ディジタル・オブジェクトと冗長度との関係を示している。
【図６】電子透かし埋め込み装置の処理手順を示すフローチャートである。
【図７】電子透かし埋め込み装置の処理手順を示すフローチャートである。
【図８】（Ａ）〜（Ｃ）は，ディジタル・オブジェクト等を示している。
【図９】ディジタル・コンテンツ画像の一例である。
【図１０】ディジタル・オブジェクトと冗長度との関係を示している。
【図１１】ディジタル・コンテンツ画像の一例である。
【図１２】ディジタル・オブジェクトと冗長度との関係を示している。
【符号の説明】
【００５８】
１  ＣＤ−ＲＯＭ
２  ＣＤ−ＲＯＭドライブ
３  ディジタル・コンテンツ取得回路
４  ディジタル・オブジェクト抽出回路
５  冗長度算出回路
６  電子透かし埋め込み回路
７  ＣＰＵ
９  電子透かし埋め込みオブジェクト決定回路
10  コンテンツ再構築回路
【図１】
2008219442.tif 000004
【図２】
2008219442.tif 000005
【図３】
2008219442.tif 000006
【図４】
2008219442.tif 000007
【図５】
2008219442.tif 000008
【図６】
2008219442.tif 000009
【図７】
2008219442.tif 000010
【図８】
2008219442.tif 000011
【図９】
2008219442.tif 000012
【図１０】
2008219442.tif 000013
【図１１】
2008219442.tif 000014
【図１２】
2008219442.tif 000015